(57)【特許請求の範囲】
【請求項１】
表示装置を備えた情報処理装置の操作装置であって、
非接触カードに記録された識別情報を非接触で読み取る複数の通信手段と、該複数の通信手段のいずれかで非接触カードの識別情報を読み取ったときに、該識別情報の読み取りを行った通信手段に対応した操作信号を出力する信号出力手段とを有し、
前記情報処理装置には該情報処理装置からの命令により利用可能な複数のデバイスが接続されており、且つ、前記表示装置には表示画面上に前記複数のデバイスのそれぞれに対応した複数のアイコンが表示されており、
前記複数の通信手段のうち一つの通信手段は、選択がなされたアイコンに対応するデバイスを起動するために設けられており、
前記信号出力手段は、前記識別情報の読み取りを行った、前記一つの通信手段を除く通信手段に対応した操作信号として、前記アイコンの選択を行うための操作信号を出力し、
該信号出力手段は、前記一つの通信手段で非接触カードの識別情報を読み取ったときに、選択がなされたアイコンに対応するデバイスを起動するための操作信号を出力することを特徴とする操作装置。
【請求項２】
請求項１に記載の操作装置において、前記デバイスの少なくとも一つは画像形成装置又は情報処理装置であることを特徴とする操作装置。
【請求項３】
請求項１又は２に記載の操作装置において、前記信号出力手段は、前記読み取った識別情報に対する認証処理を、当該操作装置で実行するか或いは前記情報処理装置に実行させることを特徴とする操作装置。
【請求項４】
請求項３に記載の操作装置において、前記認証処理は、前記識別情報の読み取りを行った通信手段に依らず共通の認証方式を用いることを特徴とする操作装置。
【発明の詳細な説明】
【技術分野】
【０００１】
本発明は、操作装置に関し、より詳細には、表示装置を備えた情報処理装置の操作装置に関する。
【背景技術】
【０００２】
パーソナルコンピュータ（ＰＣ）などの情報処理装置には、それを操作するためのキーボードやポインティングデバイスといった操作装置が具備され、同じく具備された表示装置に表示した情報等に対してユーザ操作が可能となっている。
【０００３】
また、非接触方式の電子カードの情報を、表示装置の背面に設けたカードリーダで読み取って入力する装置が知られている（例えば、特許文献１を参照）。
【特許文献１】特開２００３−３４６０９４号公報
【発明の開示】
【発明が解決しようとする課題】
【０００４】
ところで、従来の情報処理装置では、装置本体の使用に際しユーザ認証を必要とする場合には認証作業を実行してからユーザが望む所定の操作を行う必要がある。また、情報処理装置においてユーザ認証を必要とする所定の操作を行う場合にも、認証作業を実行してから所定の操作を実行する必要がある。この認証作業は、操作装置で認証コードをキー入力等により入力するか、或いはより操作性を向上させるために、特許文献１に記載の技術を採用して非接触方式の電子カード（非接触カード）で認証コードを入力するなどによって実行している。
【０００５】
このように、従来の情報処理装置では、所定の操作を行う場合に予めユーザ認証が要求される場合、認証作業と実際に実行しようとする所定の操作とで合計２つの操作が必要であり、操作性が悪くなっている。
【０００６】
本発明は、上述のごとき実状に鑑みてなされたものであり、情報処理装置を操作するための操作装置において、操作者であるユーザの認証が要求される操作を容易に実行させ、結果としてユーザ操作性を向上させることを、その目的とする。
【課題を解決するための手段】
【０００７】
上述のごとき課題を解決するために、本発明の第１の技術手段は、表示装置を備えた情報処理装置の操作装置であって、非接触カードに記録された識別情報を非接触で読み取る複数の通信手段と、該複数の通信手段のいずれかで非接触カードの識別情報を読み取ったときに、該識別情報の読み取りを行った通信手段に対応した操作信号を出力する信号出力手段とを有し、前記情報処理装置には該情報処理装置からの命令により利用可能な複数のデバイスが接続されており、且つ、前記表示装置には表示画面上に前記複数のデバイスのそれぞれに対応した複数のアイコンが表示されており、前記複数の通信手段のうち一つの通信手段は、選択がなされたアイコンに対応するデバイスを起動するために設けられており、前記信号出力手段は、前記識別情報の読み取りを行った、前記一つの通信手段を除く通信手段に対応した操作信号として、前記アイコンの選択を行うための操作信号を出力し、該信号出力手段は、前記一つの通信手段で非接触カードの識別情報を読み取ったときに、選択がなされたアイコンに対応するデバイスを起動するための操作信号を出力することを特徴としたものである。
【００１３】
第２の技術手段は、第１の技術手段において、前記デバイスの少なくとも一つは画像形成装置又は情報処理装置であることを特徴としたものである。
【００１６】
第３の技術手段は、第１又は第２の技術手段において、前記信号出力手段は、前記読み取った識別情報に対する認証処理を、当該操作装置で実行するか或いは前記情報処理装置に実行させることを特徴としたものである。
【００１９】
第４の技術手段は、第３の技術手段において、前記認証処理は、前記識別情報の読み取りを行った通信手段に依らず共通の認証方式を用いることを特徴としたものである。
【発明の効果】
【００２１】
本発明に係る、情報処理装置を操作するための操作装置によれば、操作者であるユーザの認証が要求される操作を容易に実行させ、結果としてユーザ操作性を向上させることが可能となる。
【発明を実施するための最良の形態】
【００２２】
本発明に係る操作装置は、画面上に表示を行う表示装置を備えた情報処理装置を操作対象とする。以下、この情報処理装置が、本発明に係る操作装置と、表示装置と、その操作装置からのユーザ操作に基づく表示装置の表示制御を含めた制御を行う制御装置とを備えたシステムとして構成されるものとして、説明する。なお、この情報処理装置には、本発明に係る操作装置以外に、タッチパネルで例示するように他の操作装置が設けられていてもよい。
【００２３】
図１は、本発明の一実施形態に係る操作装置を備えた情報処理装置の一例を示す外観図である。図１で例示する情報処理装置は、大型の表示装置１０と、表示装置１０に接続されたＰＣ等の制御装置（図示せず）とを備えた、主として会議などでの利用に好適な情報表示システム（以下、単に「表示システム」という）である。
【００２４】
ここで例示する表示装置１０は、その画像データを表示する薄型且つ大型のＬＣＤ（Liquid Crystal Display）パネル等の表示手段１１に加え、表示手段１１の画面の前面側に設けられ、表示手段１１で表示された情報に対する操作を行うためのタッチパネル１２を備えている。表示手段１１及びタッチパネル１２については後述する。
【００２５】
制御装置は、表示対象となる画像データを表示手段１１に送り、表示手段１１に表示させる制御も行う。また、この制御装置は、表示装置１０に内蔵しても外付けしてもよい。さらに、表示制御を行う表示制御手段を表示装置１０側に内蔵し他の制御を行う手段のみ外付けの制御装置側に設けるなど、制御装置と表示装置１０との間で処理機能を分散させるように設けてもよい。
【００２６】
さらに、この表示システムには、本発明に係る操作装置の一例としてのカード入力手段５０が設けられている。カード入力手段５０は、表示装置１０に組み込まれており、表示手段１１の下側に、斜めに検知面５１が向くように設置されている。カード入力手段５０が制御装置に対して操作信号を出力することで、制御装置が他の部位を制御してその操作信号に対応した処理を実行させる。そして、この処理には表示手段１１での表示内容の変更処理も伴うことが多くなる。カード入力手段５０並びにそれによるユーザ操作については、様々な例を挙げて後述する。
【００２７】
この表示システムは、図１で例示するように、台座（スタンド）２０と、その台座２０に支持された薄型且つ大型の表示装置１０と、台座２０に収納されたプリンタ３０及びスキャナ装置４０とを備えている。なお、プリンタ３０やスキャナ装置４０等の機器（デバイス）は、後述する特定の実施形態を適用する場合を除けば設けなくてもよい。
【００２８】
表示装置１０を支持する台座２０は、左右一対の脚部２１と、基台２２と、基台キャスター（移動用車輪）２３とを備えている。一対の脚部２１は、基台２２と表示装置１０とを連結するために設けられたものである。基台キャスター（移動用車輪）２３は、表示装置１０を含む表示システム全体の移動を容易にするために、基台２２の底部に設けられたものである。
【００２９】
プリンタ３０は、基台２２上であって一対の脚部２１の間に載置している。また、制御装置を外付けする場合には、例えばプリンタ３０の後方に設置するなどしてもよい。ここでは、表示装置１０の表示画面が視認できる面を表示装置１０の前面側とする。そして表示画面に向かって手前側を本表示システムの前側とし、表示装置１０の背面側を本表示システムの後方とする。
【００３０】
また、台座２０は、図示しない機構により基台２２のプリンタ搭載部分が基台２２に対して前後にスライド可能としておくことが好ましい。プリンタ３０のトナーカートリッジの交換等のメンテナンス時にはこのプリンタ搭載部分を手前に引き出せばよい。このような構成により、台座２０のスペースを有効に利用することができ、表示装置１０の前でプレゼンテーションや会議進行などを行う利用者は、プリンタ３０が邪魔にならずに表示システムを利用することができる。
【００３１】
スキャナ装置４０は、プリンタ３０の上方の脚部２１の内側空間に取り付けられている。スキャナ装置４０は、さらに図示しないレール機構などにより、前方にスライドして引き出し可能に構成されている。また、スキャナ装置４０は、その前面側に、シート状の原稿を挿入して内部に導入するための挿入口と、画像を読み取った後の原稿を排出するための排出口とを構成する２つの開口部を設けておくとよい。挿入口にシート状の原稿を挿入することにより、スキャナ装置４０の給紙搬送機構によって原稿が搬送され、ＣＣＤ（Charge Coupled Device）センサなどによる画像読み取り装置に送られる。そして画像読み取り装置によって画像が読み取られた原稿は、排出ローラにより搬送され、排出口から排出される。
【００３２】
このような構成により、ユーザは、スキャナ装置４０を台座２０の脚部２１の間に収納したままの状態で、スキャナ装置４０の前面側からシート上の原稿の給紙と排出とを行うことができる。また、ブック原稿の画像読み取りやメンテナンスを行う場合には、スキャナ装置４０を前方に引き出してこれらの処理を行うことができる。
【００３３】
また、大型の表示装置１０を支持する台座２０の表示装置１０の下方にスキャナ装置４０やプリンタ３０などのデバイスを収納することにより、表示システムの重心を下方に位置させることができ、これにより表示システムの加重バランスを安定させて、表示システムの転倒防止を図ることができる。このとき、複数のデバイスのうち、他のデバイスより重量の重い電子機器を下方に設けるようにすることが好ましい。
【００３４】
図２は図１の表示システムの一構成例を示すブロック図で、ここでは図１において台座２０を除いた部分の構成例を示している。また、図３は図２のタッチパネルの一構成例を示す図である。
【００３５】
図２で例示する表示システムでは、上述の制御装置が、メモリ１３、ＬＣＤコントローラ１４、ＣＰＵ（Central Processing Unit）１５、ハードディスクドライブ（ＨＤＤ）１６、及び外部機器接続インターフェース（Ｉ／Ｆ）１７により構成されるものとして説明する。
【００３６】
ＣＰＵ１５は、表示装置１０の全体の制御を行う。メモリ１３、ＨＤＤ１６は、オペレーションシステム（ＯＳ）を含むプログラムと、そのプログラムで読み出し可能なデータとを記憶する。メモリ１３は、例えばＯＳを記憶したＲＯＭ（Read Only Memory）とプログラムの実行領域（作業領域）としてのＲＡＭ（Random Access Memory）とで構成するとよく、ＨＤＤ１６はそれ以外のプログラムやデータを格納しておくとよい。
【００３７】
以下、表示手段１１としてＬＣＤパネルを挙げて説明する。但し、表示手段１１としては、ＬＣＤの他に、プラズマディスプレイ（Plasma Display Panel）、電界放出ディスプレイ（Field Emission Display）、表面伝導型電子放出素子ディスプレイ（Surface-conduction Electron-emitter Display）、有機ＥＬディスプレイ（Organic Electroluminescence Display）等の表示装置を適用することができる。ＬＣＤパネル１１は、ＬＣＤコントローラ１４で制御され、画像表示を行う。ＬＣＤコントローラ１４は、ＣＰＵ１５に制御されてＬＣＤパネル１１の表示を制御する。
【００３８】
タッチパネル１２は、タッチペンや指などにより座標入力を行う装置であり、ユーザによるタッチ位置の座標を検出し、ＣＰＵ１５に送る。タッチパネル１２は、図３で例示するように、ガラス等の透過部材の４辺にそれぞれペンのタッチ位置を検出するためのＬＥＤ（Light Emitting Diode）アレイとフォトトランジスタアレイを設けるなどによって構成できる。図３の例では、下辺にＸ方向ＬＥＤアレイ１２ａ、上辺にＸ方向フォトトランジスタアレイ１２ｂ、左辺にＹ方向ＬＥＤアレイ１２ｃ、右辺にＹ方向フォトトランジスタアレイ１２ｄを設けている。隣接するＬＥＤ若しくはフォトトランジスタは、例えば０.５ｍｍなどの所定の間隔で並べて配置すればよい。
【００３９】
操作部材であるタッチペンにより透過部材上に触れると、触れた位置Ｔを通過するＬＥＤの光がタッチペンにより遮蔽されフォトトランジスタに到達しなくなるために、到達しなかったフォトトランジスタの座標を指定された座標として出力する。図３の例ではｘｉ、ｙｉがこの座標に相当する。
【００４０】
タッチパネル１２から座標の情報を受けたＣＰＵ１５は、例えば、入力された座標の位置に所定のオブジェクトを表示するようにＬＣＤコントローラ１４を制御する。これにより、このオブジェクトがＬＣＤパネル１１に表示できる。オブジェクトとは、例えば点画像である。ユーザがタッチペン等で透過部材の表面をなぞることにより点画像のオブジェクトを連続的に表示させ、操作者の所望する図形や文字を描くことができる。その他オブジェクトとしては直線、円形、三角形、四角形といった予め定められた定形図形でもよい。
【００４１】
他の例として、ＣＰＵ１５は、タッチパネル１２から所定時間以内に２回同じとみなせる座標が入力され、且つその座標に対応する画面に或るアプリケーションやファイルのアイコンが表示されていた場合、すなわちユーザによるダブルクリック操作がなされ場合、そのアプリケーションやファイルをＨＤＤ１６から読み出し、ＬＣＤコントローラ１４を制御してそれをＬＣＤパネル１１に表示させる。また、ＣＰＵ１５は、所定時間続けて同じとみなせる座標が入力され、且つその座標に対応する画面にアイコンが表示されていた場合、そのアイコンを選択する操作とみなし、選択したことを視認させるためにアイコンの表示色等を変更するよう、ＬＣＤコントローラ１４を制御する。
【００４２】
カード入力手段５０は、図４等を参照しながら詳細を後述するように、ＣＰＵ１５に接続され操作信号をＣＰＵ１５に渡す。これにより、ユーザはカード入力手段５０からもこの表示システムの操作が可能となっている。
【００４３】
また、プリンタ３０及びスキャナ装置４０は、外部機器接続Ｉ／Ｆ１７によりＣＰＵ１５に接続され、ＣＰＵ１５から制御可能となっている。制御装置のＣＰＵ１５は、カード入力手段５０（及びタッチパネル１２）からのユーザ操作に基づき、外部機器接続Ｉ／Ｆ１７経由でプリンタ３０に対して印刷要求を行う。プリンタ３０は、この印刷要求に応じて、例えば制御装置のＨＤＤ１６に記憶されたファイルやＬＣＤパネル１１に表示中の画像などを記録用紙に印刷可能となっている。またプリンタ３０は、スキャナ装置４０で取り込んだ画像データの印刷出力なども行うことができる。
【００４４】
制御装置のＣＰＵ１５は、カード入力手段５０（及びタッチパネル１２）からのユーザ操作に基づき、外部機器接続Ｉ／Ｆ１７経由でスキャナ装置４０に対して原稿読取要求を行う。スキャナ装置４０は、この原稿読取要求に応じて、原稿を光学的に読み取り画像データを制御装置側へ返すことが可能となっている。スキャナ装置４０で読み取られた画像データは、ＨＤＤ１６への記録、ＬＣＤパネル１１での表示、プリンタ３０から印刷出力などの処理も可能となっている。
【００４５】
図４は図２のカード入力手段の一構成例を示すブロック図、図５は図４のカード入力手段における検知面の一例を示す外観図、図６は図４のカード入力手段に対して操作可能な非接触カードの一構成例を示すブロック図である。
【００４６】
カード入力手段５０は、非接触カードに記録された識別情報を非接触で読み取る通信手段を複数（図４の例では９つ）有する。カード入力手段５０は、さらに、複数の通信手段のいずれかで非接触カードの識別情報を読み取ったときに、その識別情報の読み取りを行った通信手段に対応した操作信号を出力する信号出力手段を有するものとする。この操作信号は、上述の制御装置を操作するため、通信手段に各々対応した信号であり、図２の例ではＣＰＵ１５に伝送される。そして、制御装置では、受信した操作信号から、いずれの通信手段で識別情報を読み取ったかが判別でき、それに応じた処理が実行される。この処理には、ＬＣＤパネル１１での表示内容を変更する処理も含まれることが多い。識別情報を用いた認証については後述する。
【００４７】
図４では、上述の複数の通信手段として、９つのアンテナ５２ａ〜５２ｉを配設した例を示している。以下、これらのアンテナ５２ａ〜５２ｉのうち不特定のアンテナを指すときは符号５２を使用する。アンテナ５２は、非接触カードと情報通信を行うもので検知面５１に複数設けられる。そして、非接触カードを検知面５１におけるアンテナ５２に対応する位置に近づけることで操作がなされる。従って、アンテナ５２は、正当な位置のいずれかに非接触カードを近づけたときに、２以上のアンテナ５２でそれを検知（検出）することがないような位置に配置する。
【００４８】
また、図４では、上述の信号出力手段として、セレクタ５３及び通信ユニット５４を設けた例を示している。セレクタ５３は、複数のアンテナ５２からの入出力を時分割で切り替えて、１つの通信ユニット５４に複数のアンテナ５２を接続する。通信ユニット５４は、アンテナ５２を介して非接触カードとの通信を行う。さらに、通信ユニット５４はＣＰＵ１５に接続されており、アンテナ５２ａ〜５２ｉのうち識別情報を受信したアンテナに対応した操作信号（識別情報を含む）をＣＰＵ１５に出力可能となっている。
【００４９】
なお、上述のごとくカード入力手段５０は、識別情報を読み取ったアンテナ５２を示す信号を出力するため、複数配置されたアンテナ５２で示される座標情報を入力（取得）する座標情報取得手段であるとも言える。すなわち、カード入力手段５０は非接触カードを検知面５１にかざすことによる座標入力を行うための装置であると言える。また、カード入力手段５０は、非接触カードでの操作位置を取得する操作位置取得手段であるとも言える。
【００５０】
また、通信ユニット５４は、操作信号を識別情報を含めたものに変換してからＣＰＵ１５に出力する構成を採用してもよいし、非接触カードとＣＰＵ１５との通信を経由させるような構成を採用してもよい。後者の場合、操作信号に読み取った識別情報を含まないような通信も可能である。また、非接触カードとの通信を行った通信ユニット５４が、操作信号（どのアンテナ５２が接続されたかが判別可能な信号）をＣＰＵ１５に送ることで、ＣＰＵ１５が識別情報を要求して通信ユニット５４から識別情報を得るような通信を行う構成など、他の構成を採用してもよい。この構成でも操作信号に識別情報が含まれないこととなる。
【００５１】
このように、読み取った識別情報は最終的にＣＰＵ１５に送られることとなるが、上述の信号出力手段がこの読み取った識別情報に対する認証処理、すなわち非接触カードに記録された識別情報に基づく認証処理を、制御装置側に実行させることが好ましい。認証用のデータ（認証情報と呼ぶ）を制御装置側（図２の例ではメモリ１３又はＨＤＤ１６）に格納しておき、認証自体は、制御装置側（図２の例ではＣＰＵ１５）で実行すればよい。このとき、信号出力手段（この例では通信ユニット５４）は認証処理の中の認証を要求する処理だけを行えばよい。また、ＣＰＵ１５は認証に失敗した場合、その操作信号を無視するか、或いは認証が失敗して操作できない旨をＬＣＤパネル１１に表示させるなどしてもよい。
【００５２】
また、上述の認証処理を全てカード入力手段５０側で実行し、認証に成功した場合のみ操作信号（この場合には識別情報は別途使用しない限り含まれなくてよい）をＣＰＵ１５に送信してもよい。但し、その場合、識別情報と比較する認証情報をカード入力手段５０側に格納しておく必要がある。
【００５３】
また、認証処理をどのように分散させた場合にも、認証自体は各通信手段（ここではアンテナ５２ａ〜５２ｉ）に対して共通の手段で実行されることとなる。すなわち、認証処理は、識別情報の読み取りを行った通信手段に依らず共通の処理（共通の認証方式での処理）とする。
【００５４】
図５を参照してカード入力手段５０の検知面５１について説明する。図５で例示する検知面５１には９つの検知領域５１ａ〜５１ｉがあり、各検知領域５１ａ〜５１ｉに対して検知面５１の背面にそれぞれアンテナ５２ａ〜５２ｉが配置されている。各検知領域５１ａ〜５１ｉには、ユーザに視認可能なように８方向の矢印と「ＯＫ」とがプリントされている。
【００５５】
「ＯＫ」の検知領域５１ｅはアンテナ５２ｅに対応することとなり、この検知領域５１ｅに非接触カード６０を近づけた場合（非接触カード６０でタッチした場合も同様）には、「ＯＫ」に対応した操作信号が通信ユニット５４からＣＰＵ１５に出力されることとなる。同様に、例えばアンテナ５２ａに対応する検知領域５１ａに非接触カード６０を近づけた場合には、左斜め上を選択する操作信号が出力され、その結果、現在表示画面で選択されているアイコンの左斜め上にあるアイコンが選択されることとなる。
【００５６】
また、検知面５１には対応する操作の内容がプリントされている例を示したが、検知面５１も表示装置で構成し操作の内容を表示してもよい。これにより、操作の内容を適宜変更することも可能となる。
【００５７】
図６を参照して非接触カードについて説明する。非接触カード６０は、非接触方式の電子カードであり、ＩＣ（Integrated Circuit）カードが例示できる。図６で例示する非接触カード６０は、アンテナ６１、ＣＰＵ６２、及びメモリ６３を備える。カード側アンテナ６１は、カード入力手段５０のアンテナ５２と電磁波で通信を行う。カード側ＣＰＵ６２、カード側メモリ６３は、カード側アンテナ６１で受信した電磁波を供給電力として動作し、カード側メモリ６３に記憶された情報をカード入力手段５０に送信する。若しくは、カード入力手段５０からの情報をメモリ６３に記憶するような処理を実行してもよい。識別情報は、非接触カード６０を所持するユーザに対して一対一に付与されるＩＤ情報である。
【００５８】
図７は、図２のＨＤＤに格納されたファイルを、図５の検知面で非接触カードにより操作可能とするために格納された情報の一例を示す図である。ＨＤＤ１６には、検知面５１で非接触カード６０により操作可能とするために、例えば図７に示すような情報１６ａ〜１６ｃが格納されている。情報１６ａとしては、ユーザ操作の対象となるファイル自体、そのファイルに対する認証情報、そのファイルを識別するための名称であるファイル名、及び、そのファイルを開くためのアプリケーション名（プログラム名）が、関連づけられて格納されている。
【００５９】
このファイルとしては、例えばプレゼンテーションファイルなどが挙げられる。また、認証情報はファイルに含まれており、例えばファイルを作成したユーザの識別情報と一致する情報である。ユーザの識別情報と直接一致しなくても、例えばファイルの作成者情報などを採用してもよく、その場合、情報１６ｃ（ユーザ情報）を介して識別情報と一致すればよい。また、ファイルを開くための（或いは開いて編集／印刷するための）パスワードなどとして、識別情報と同じ認証情報をファイルに格納しておいてもよい。
【００６０】
情報１６ｂは、ＣＰＵ１５がカード入力手段５０から出力された操作信号を認識できるようにするための情報である。ここでは、各アンテナに対してユニークに付与されるアンテナ番号が操作信号として出力されることを前提とし、情報１６ｂとして、アンテナ番号と各アンテナ番号が示す操作内容を含むアンテナ情報とが関連づけて格納されている。
【００６１】
また、情報１６ｃとしては、ユーザ情報（利用者情報）が格納されている。ユーザ情報１６ｃには、この表示システムを利用可能なユーザの識別情報のリストであり、例えばこの表示システムを所有する部署の所属員の情報である。
【００６２】
図８は、図５の検知面及びそこで非接触カードにより操作可能な表示画面の一例を示す図で、操作の様子も示している。図９は、図８の表示画面により操作され開かれたファイルが表示された表示画面の一例を示す図である。また、図１０は、図２の表示システムにおいて図７の情報に基づき非接触カードで操作を受け付ける処理を説明するためのフロー図で、図１１は、図１０においてファイルを開く際にさらに認証処理を課した場合の処理を説明するためのフロー図である。
【００６３】
まず、図８〜図１０を主に参照して説明する。まずＣＰＵ１５は、ＬＣＤコントローラ１４を制御し、複数のアイコンをＬＣＤパネル１１に表示させる（ステップＳ１）。各アイコンはＨＤＤ１６内のファイルに対応しており、且つそのうち一つのアイコンが選択され他のアイコンと異なる表示形態（例えばグレー色にするなど）で表示している。この例では、図８の上段に示すように、表示画面上にプレゼンテーション用のファイルを示すアイコンが並んで表示されており、そのうち一つプレゼン１のアイコン７１が異なる色で表示されている。例えば一番右上に表示されたアイコン７１など、所定のアイコンが選択状態になるように表示させるように制御しておけばよい。ここでは、制御装置のＨＤＤ１６等に１又は複数のプログラム（アプリケーション）が実行可能に組み込まれており、且つ、複数のアイコンは、組み込まれたプログラムのいずれかで開くファイルに対応したアイコンであるものとする。
【００６４】
カード入力手段５０では、セレクタ５３を用いて、複数のアンテナ５２と１つの通信ユニット５４との接続を時分割で切り替えて、複数のアンテナ５２で非接触カード６０の検出を行う（ステップＳ２）。このような処理を実行中に、ユーザは、図５の検知面５１のプリント内容を見ながら、選択アイコンが示す選択ファイルから選択対象を移動させるために、移動させたい方向の矢印の位置に非接触カード６０をかざす。この例では、図８の下段に示すように、ユーザは非接触カード６０をカード入力手段５０の検知面５１（この例ではアンテナ５２ｆの位置）にかざしている。なお、アンテナ５２ｆに対応した検知領域５１ｆには、図５の検知面５１に示すように右方向への移動を示す矢印がプリントされている。
【００６５】
通信ユニット５４は、いずれかのアンテナ５２で非接触カード６０を検出したとき、そのアンテナ５２を介して非接触カード６０から識別情報を読み出し、ＣＰＵ１５に渡す（ステップＳ３）。そして、ＣＰＵ１５が、識別情報がユーザ情報１６ｃと一致するか判定することで認証を実行する（ステップＳ４）。ステップＳ４で一致した場合には、非接触カード６０を検出したアンテナ５２のアンテナ番号に基づいて、情報１６ｂから方向情報を取得し、その方向にアイコンの指定箇所を移動させるよう表示を変更する、若しくはファイルを開くなどの操作を実行する（ステップＳ５）。ファイルを開く際は、アイコンを選択した状態、例えば図８下段の表示状態で、「ＯＫ」がプリントされた検知領域５１ｅに非接触カード６０をかざして接近させカード入力手段５０に検知させることにより、図８のアイコン７２に対応する図９のプレゼン２のファイル７３のように、その選択ファイルを開くことができる。このように、ステップＳ５では、非接触カードを検出したアンテナのアンテナ番号に基づいて入力情報を取得し、その入力情報に対応した操作を実行する。一方、ステップＳ４で識別情報が予め定められたユーザ情報と一致しなかった場合、この識別情報が格納された非接触カード６０をもつユーザが本表示システムのユーザではないものとして、ＣＰＵ１５はこの操作を受け付けず、ＬＣＤコントローラ１４を制御してエラー表示を行う（ステップＳ６）。
【００６６】
このようにして、ユーザ操作に対し、信号出力手段の通信ユニット５４は、識別情報の読み取りを行ったアンテナ５２ｆに対応した操作信号として、アイコンの選択を行うための操作信号をＣＰＵ１５に出力すると共に、読み取った識別情報も送信する。アンテナ５２ｆに対応した操作信号と識別情報の信号を受信したＣＰＵ１５は、まず識別情報を用いて認証処理を実行する。この例では、ＣＰＵ１５は、識別情報をＨＤＤ１６のユーザ情報１６ｃと比較して一致するか否かにより認証を実行する。
【００６７】
そして、認証が成功であった場合のみ、いずれの通信手段で識別情報を読み取ったかに応じたアイコンの選択処理を実行する。この例では、ＣＰＵ１５は、アンテナ５２ｆのアンテナ番号６を操作信号として受信すると、情報１６ｂの対応するアンテナ情報を参照して、選択対象を「右方向への移動」させ、同時にその移動をＬＣＤパネル１１で反映させる。この反映により、右隣のプレゼン２のアイコン７２が選択された状態で表示される。なお、さらに２回「右方向への移動」の操作を行った場合には、次の段のプレゼン４のアイコンが選択された状態で表示するとよい。このように、ユーザが所望する方向に表示されているアイコンが選択され、そのアイコンに対応するファイルが選択ファイルとなる。但し、上述の認証処理で認証が成功した場合のみ、その操作信号を有効にすることで、このような操作が権限の無いユーザによって反映されることがなくなる。
【００６８】
上述したように、例示した表示システムでは、制御装置側で非接触カード６０の識別情報を読み取り、識別情報がユーザ情報と合致すると操作者を認証して、表示システム（制御装置及びその表示部としての表示装置）の操作を許可し、識別情報を読み取ったアンテナに応じて上下左右の方向が入力情報として装置に入力される。そして、ＣＰＵ１５は入力情報に基づき、指定先のアイコンを移動させる制御を行う。
【００６９】
従って、この表示システムでは、表示システムの利用許可と方向指定が一度で実施できるので、操作性を向上させることができる。実際、プレゼンテーション時にプレゼンテーション用のファイルを読み出すときに手間取っていると、視聴者にとっては煩わしく感じてしまうが、本発明に係るカード入力手段５０の組み込みにより、非接触カード６０を所定のアンテナにかざすだけで認証と操作が同時に実行できるので、ユーザの作業が少なく操作に手間取ることはなくなる。このように、本発明に係る、情報処理装置を操作するための操作装置によれば、操作者であるユーザの認証が要求される操作を容易に実行させ、結果としてユーザ操作性を向上させることが可能となる。
【００７０】
次に、図８、図９、及び図１１を主に参照して、ファイルを開くときにも認証処理を実行する例を説明する。まず図１１のステップＳ１〜Ｓ４と同様にＬＣＤパネル１１にアイコンを表示した状態で識別情報の読み出しを行ってユーザ情報１６ｃと比較する（ステップＳ１１〜Ｓ１４）。ステップＳ１４で一致しなかった場合にはステップＳ６と同様に操作を受け付けずエラー表示を行えばよい（ステップＳ２０）。
【００７１】
一方、ステップＳ１４で一致した場合には、次に説明するようなステップＳ１５〜Ｓ１９及びステップＳ２０の処理を実行する。ここで例示した処理では、複数のアンテナ５２の一つ（ここではアンテナ５２ｅ）は、選択したアイコンに対応するファイルを起動するために設けられており、通信ユニット５４は、その一つの通信手段で非接触カードの識別情報を読み取ったときに、選択されたアイコンに対応するファイルを起動するための操作信号（「ＯＫ」に対応する信号）を出力するものとする。すなわち、いずれの通信手段で識別情報を読み取ったかに応じてアイコンに対応するファイルを所定のアプリケーションで処理開始する操作を実行するような処理を行う。
【００７２】
具体的に説明すると、まず入力情報がアンテナ番号５に対応するＯＫ情報か否かを判定する（ステップＳ１５）。ステップＳ１５でＮＯの場合、すなわち入力情報がアンテナ番号が５以外のアンテナからの入力である方向情報であった場合、検知したアンテナに対応する方向にアイコンの指定箇所を移動させる制御を行い（ステップＳ１６）、ステップＳ１２へ戻って次の検出を待つ。
【００７３】
一方、ステップＳ１５でＹＥＳの場合、すなわち入力情報がアンテナ番号が５であった場合には、ＨＤＤ１６の情報１６ａのうち、指定中のアイコンに対応するファイルと共に記憶されているファイルの認証情報を読み取り（ステップＳ１７）、識別情報との一致を判定する（ステップＳ１８）。ステップＳ１８で一致した場合にはそのファイルを対応するアプリケーションで開く（ステップＳ１９）。一方、一致しなかった場合にはステップＳ２０へ進み、操作を受け付けずエラー表示を行う。
【００７４】
ステップＳ１５でＯＫ情報か否かを判定しているのは、開こうとしているファイルが秘密情報を含むものである場合、ファイルを開くことができる利用者は限られるべきであり、ファイルに対する認証処理が必要か否かを判定するためである。図８及び図９を参照すると、アイコンを選択した状態、例えば図８下段の表示状態で、「ＯＫ」がプリントされた検知領域５１ｅに非接触カード６０をかざして接近させカード入力手段５０に検知させ、認証に成功した場合、図８のアイコン７２に対応する図９のプレゼン２のファイル７３のように、その選択ファイルを開くことができる。例えばファイルを作成した人間のみが開くことができるようにしてもよい。この場合、ファイルに認証情報を記録し、非接触カード６０をかざしてアイコンが選択されたときに、当該アイコンに対応するファイルから認証情報を取得して、非接触カード６０から得られた識別情報と認証情報の一致を判定して、一致したときのみファイルを開くことができる。
【００７５】
このように、表示システムにおいてユーザ認証を必要とする所定の操作（ここではファイルを開く操作で例示）を行う場合にも、従来、認証作業を実行してから所定の操作を実行する必要があったが、本発明では一度で実施できる。従って、ファイルの認証のために別途入力を行う必要がなく、操作性を向上させることができる。
【００７６】
また、図１０及び図１１の処理で説明したように、上述の認証処理は、識別情報の読み取りを行った通信手段（ここではアンテナ５２）に応じて、認証レベルを異ならしめて実行するとよい。図１０の処理では単にユーザ情報１６ｃとの比較で認証を行っているのに対し、図１１の処理ではさらなる認証（ファイルへのアクセス権を鑑みたセキュリティ用の比較）を実行している。認証レベルを通信手段に応じて異ならせる方法はこれに限ったものではなく、例えばアンテナ５２ｅ以外のアンテナはユーザ情報１６ｃ（表示システムのユーザリスト）のみを識別情報と比較し、アンテナ５２ｅに対してはユーザ情報１６ｃに含ませた権限情報に基づき操作の可／不可を判定してもよい。
【００７７】
図１２は、図２のＨＤＤに実行可能に格納されたプログラムを非接触カードにより起動可能とするために格納された情報の例を示す図である。また、図１３は、図５の検知面及びそこで非接触カードにより操作可能な表示画面の他の例を示す図である。
【００７８】
図７〜図１１を参照した説明では、アイコンがファイルに対応付けられているものとして説明したが、制御装置のＨＤＤ１６等に複数のプログラム（アプリケーション）が実行可能に組み込まれており、且つ、複数のアイコンは、各プログラムに対応したアイコンであるように構成してもよい。プログラムは、例えばプレゼンテーションソフトなどのアプリケーションプログラムである。その場合、例えば図１２に示すように、ＨＤＤ１６に情報１６ａの代わりに或いは別途、情報１６ｅを格納しておくとよい。情報１６ｅとしては、プログラムと、そのプログラム又はそのプログラムのファイルに含まれる認証情報と、プログラム識別するための名称であるプログラム名とを関連づけて格納しておくとよい。ここで、認証情報は、例えばプログラムが利用可能なユーザの識別情報と一致する情報である。
【００７９】
情報１６ｅをＨＤＤ１６に格納しておくことで、ＬＣＤパネル１１で図１３のようにプログラムアイコンを表示画面上に表示したときに、非接触カード６０をアンテナ５２上にかざすことでプログラムの選択と、利用可能か否かの判定を同時に実施することができ、操作性を向上させることが可能となる。この場合にも、複数の通信手段の一つ（この例ではアンテナ５２ｅ）は、選択したアイコンに対応するプログラムを起動するために設けられており、信号出力手段は、この一つの通信手段で非接触カード６０の識別情報を読み取ったときに、選択されたアイコンに対応するプログラムを起動するための操作信号を出力することが好ましい。
【００８０】
図１４は、図２のＨＤＤに格納されたファイルを、図５の検知面で非接触カードにより操作可能とするために格納された情報の他の例を示す図である。図１５は、図５の検知面及びそこで非接触カードにより操作可能な表示画面の他の例を示す図であり、ここでは図１４の情報に基づき操作可能となっている表示画面例を示している。また、図１６は、図２の表示システムにおいて図１４の情報に基づき非接触カードで操作を受け付ける処理を説明するためのフロー図である。
【００８１】
以上の例では、アイコンとしてファイルアイコンやプログラムアイコンの操作を対象としたものであったが、アイコンが指し示すものはデバイスであってもよい。デバイスとは、この制御装置に例えばネットワーク接続されるクライアントＰＣ等の情報処理装置であったり、周辺機器、複合機（ＭＦＰ）等の画像形成装置であり、制御装置からの命令により利用可能な複数のデバイスである。また、このデバイスの一つとして本制御装置（情報処理装置）を採用し、ログインなどする際に非接触カード６０を利用してもよい。図１の例では、プリンタ３０及びスキャナ装置４０がこのデバイスに相当するものとして図示している。
【００８２】
その場合、例えば図１４に示すように、ＨＤＤ１６に情報１６ａ，１６ｅの代わりに或いは別途、情報１６ｄを格納しておくとよい。情報１６ｄとしては、デバイスの管理のためのデバイス情報と、デバイスの認証情報と、デバイスの名称であるデバイス名とが関連づけて格納されている。デバイス情報としては、デバイスに対応するアイコンをアイコン情報として記憶しておくとよい。
【００８３】
情報１６ｄをＨＤＤ１６に格納しておくことで、ＬＣＤパネル１１で図１５のようにデバイスアイコンを表示画面上に表示したときに、非接触カード６０をアンテナ５２上にかざすことでデバイスの選択と、利用可能か否かの判定を同時に実施することができ、操作性を向上させることが可能となる。この場合にも、複数の通信手段の一つは、選択したアイコンに対応するデバイスを起動するために設けられており、信号出力手段は、この一つの通信手段で非接触カード６０の識別情報を読み取ったときに、選択されたアイコンに対応するデバイスを起動するための操作信号を出力することが好ましい。
【００８４】
より具体的に説明すると、まず図１１のステップＳ１１と同様に、ＬＣＤパネル１１にアイコン（但しこの例ではデバイスアイコン）を表示した状態にする（ステップＳ３１）。この例では、図１５に示すように、表示画面上にＰＣ１〜３、ＭＦＰ１〜３、ＮＡＳ（Network Attached Storage）を示すアイコンが並んで表示されており、そのうち一つＰＣ１のアイコンが異なる色で表示されている。
【００８５】
続いて、図１１のステップＳ１２〜Ｓ１６と同様の処理を実行する（ステップＳ３２〜Ｓ３６）と共に、ステップＳ３５でＹＥＳの場合には、ＣＰＵ１５が、ＨＤＤ１６の情報１６ｄから、指定されたアイコンに対応するデバイスと共に記憶されているデバイスの認証情報を読み取る（ステップＳ３７）。そして、この認証情報と読み取った識別情報との一致を判定する（ステップＳ３８）。ステップＳ３８で一致した場合にはそのデバイスの利用を許可し、そのドライバソフト等の操作画面を開く（ステップＳ３９）。一方、一致しなかった場合にはステップＳ４０へ進み、操作を受け付けずエラー表示を行う。
【００８６】
ステップＳ３９では、例えばデバイスがＰＣやＮＡＳである場合には、非接触カード６０による認証に成功したらＰＣやＮＡＳのＨＤＤに記憶されているファイル名のリストを操作画面として表示し、ファイルがアクセスできるように画面表示するとよい。また、デバイスがＭＦＰである場合には、認証に成功したら印刷出力の指示が可能なようにプリンタドライバの設定画面を操作画面として開くとよい。
【００８７】
このように、信号出力手段は、識別情報の読み取りを行った通信手段に対応したデバイスを選択するための選択処理、及び選択したデバイスを利用可能とするための識別情報に対する認証処理、を行うための操作信号を出力するとよい。なお、識別情報は、上述したようにこの操作信号に含ませてもよいし、通信中に別途出力するなどすればよい。また、ここでも認証処理は、識別情報の読み取りを行った通信手段に依らず共通の処理（共通の認証方式での処理）とするものとする。さらに、この例における認証処理でも、上述したように、識別情報の読み取りを行った通信手段に応じて、認証レベルを異ならしめて実行するようにすることが好ましい。例えばＰＣ１はユーザＡのみ利用可能で、ＰＣ２はユーザＢのみ利用可能、ＮＡＳは所属部門の上長のみ利用可能などといったアクセス権の制御も可能となる。
【００８８】
また、図１４〜図１６を参照して説明した例は、図１２及び図１３で説明した例において、アプリケーションプログラムがデバイスを利用するためのアプリケーション（ドライバ、ネットワーク接続プログラム等）であるものとして取り扱うことでも実現できる。
【００８９】
図１７は、図２のカード入力手段における検知面の他の例を示す外観図であり、ここでは図５の検知面５１とは異なる例を示している。以上の例では、複数のアンテナ５２に対応する操作が移動及び決定（起動）に関するものであったが、所定の文字群及び／又は数字群としてもよい。すなわち、複数の通信手段は、所定の文字群又は数字群に対応して設けられたものとしてもよい。例えば図１７に示すように１〜９の数字キー５１ａ〜５１ｉと共に、ＯＫキー５１ｊ及びキャンセルキー５１ｋを検知面５１にプリントしておくとよい。このとき、１１個の検知領域５１ａ〜５１ｋのそれぞれに対応して図４のごときアンテナ群が１１個設けられている。そして、信号出力手段の通信ユニット５４は、識別情報の読み取りを行った通信手段に対応した操作信号として、所定の文字群及び／又は数字群を入力するための操作信号（数値又は文字データ）を出力するとよい。なお、この例でも上述のごとき認証処理を実行し、また例えばＯＫキー５１ｊに対応するアンテナだけはアクセス権レベルを異ならせるなどしてもよい。
【００９０】
図１８は、図４のカード入力手段を表示装置の表示画面の背面（背後）に組み込んだ構成例を示す概略図である。以上の例では、カード入力手段５０はＬＣＤパネル１１の外側に取り付けられていたが、図１８のようにアンテナ５２ａやアンテナ５２ｅ等を含むカード入力手段５０を、ＬＣＤパネル１１の表示画面の背面に取り付けることもできる。そして、アンテナの位置に該当する操作の内容をガイダンス表示しておくとよい。このような構成を採用することで、操作内容を変更した場合に、変更後の操作内容のガイダンス表示の変更が容易に実施できる。
【００９１】
一例として、図１５のごときデバイスアイコンを図１８のカード入力手段５０の位置に表示させた場合を例に挙げて説明する。ユーザが非接触カード６０を用いた操作によりデバイスアイコンを選択すると、各アイコンの背面に設置されたアンテナ５２、及びアンテナ５２に接続された通信ユニット５４を介して、非接触カード６０の識別情報を判定してデバイス操作を許可すべき人物か否かを判定して、各デバイスを操作するための操作画面を開く。このように、表示システムの利用許可とデバイスの指定が一度で実施できるので、操作性を向上させることができる。
【００９２】
さらに、図１８で説明した例において、ＬＣＤパネル１１にタッチパネル１２を搭載することを前提とし、タッチパネル１２は、カード入力手段５０で操作を実行中には、複数のアンテナ５２が設置された領域に対応した表示領域でのタッチ操作を無効にすることが好ましい。このようにこの表示領域のタッチ入力を禁止することにより、ユーザが非接触カード６０でタッチしてしまったりしてもその領域のタッチパネルの検出を無効とできる。ここで、カード入力手段５０で操作を実行中とは、アンテナ５２に対応するアイコンが表示された状態を言う。従って、例えばファイルアイコンが表示され、そのアイコンに非接触カード６０を近づけてファイルを開いた後は、この領域の検出を有効に戻せばよい。また、複数のアンテナ５２が設置された領域としては、全てのアンテナ５２の設置領域を全て囲んだ領域（例えば図１８でカード入力手段５０で示した領域）であることが好ましい。
【００９３】
次に、本発明で採用可能な他の例について、図２、図４、及び図６を参照しながら説明する。図４のごときアンテナ５２により非接触カード６０の識別情報を読み取り、ユーザ情報と一致したら図６の非接触カード６０内のカード側メモリ６３に記憶されているファイルをリードして、図２のＨＤＤ１６に記憶してもよい。そのため、上述の信号出力手段は、非接触カード６０に記憶されたファイルを読み取るための操作信号を出力するよう構成するとよい。この制御信号によりＣＰＵ１５は、カード入力手段５０の通信ユニット５４を制御して非接触カード６０に記録された文書ファイル等のファイルを読取りＨＤＤ１６に記憶させることが可能となる。このような構成を採用することで、例えばプレゼンテーションファイルを予めＨＤＤ１６に記憶されていなくともプレゼンテーションが実行できる。
【００９４】
また、逆に、アンテナ５２により非接触カード６０の識別情報を読み取り、ユーザ情報と一致したら非接触カード６０で指定したファイルを非接触カード６０に送信してカード側メモリ６３に記憶してもよい。そのため、上述した信号出力手段は、制御装置側（例えばＨＤＤ１６）に記憶されているファイルを非接触カード６０に記憶する（書き込む）ための操作信号を出力するよう構成するとよい。この制御信号によりＣＰＵ１５は、対象となる文書ファイル等のファイルをＨＤＤ１６から読み取り、カード入力手段５０の通信ユニット５４を制御して非接触カード６０に記憶させることが可能となる。なお、対象となるファイルの選択は適宜行えばよく、予め所定のフォルダに記憶されたファイルとして規定しておいてもよいし、タッチパネル１２やカード入力手段５０でファイル選択後に、認証レベルの高い処理として、このようなファイル読み出し処理を実行してもよい。
【図面の簡単な説明】
【００９５】
【図１】本発明の一実施形態に係る操作装置を備えた情報処理装置の一例を示す外観図である。
【図２】図１の表示システムの一構成例を示すブロック図である。
【図３】図２のタッチパネルの一構成例を示す図である。
【図４】図２のカード入力手段の一構成例を示すブロック図である。
【図５】図４のカード入力手段における検知面の一例を示す外観図である。
【図６】図４のカード入力手段に対して操作可能な非接触カードの一構成例を示すブロック図である。
【図７】図２のＨＤＤに格納されたファイルを、図５の検知面で非接触カードにより操作可能とするために格納された情報の一例を示す図である。
【図８】図５の検知面及びそこで非接触カードにより操作可能な表示画面の一例を示す図である。
【図９】図８の表示画面により操作され開かれたファイルが表示された表示画面の一例を示す図である。
【図１０】図２の表示システムにおいて図７の情報に基づき非接触カードで操作を受け付ける処理を説明するためのフロー図である。
【図１１】図１０においてファイルを開く際にさらに認証処理を課した場合の処理を説明するためのフロー図である。
【図１２】図２のＨＤＤに実行可能に格納されたプログラムを非接触カードにより起動可能とするために格納された情報の例を示す図である。
【図１３】図５の検知面及びそこで非接触カードにより操作可能な表示画面の他の例を示す図である。
【図１４】図２のＨＤＤに格納されたファイルを、図５の検知面で非接触カードにより操作可能とするために格納された情報の他の例を示す図である。
【図１５】図５の検知面及びそこで非接触カードにより操作可能な表示画面の他の例を示す図である。
【図１６】図２の表示システムにおいて図１４の情報に基づき非接触カードで操作を受け付ける処理を説明するためのフロー図である。
【図１７】図２のカード入力手段における検知面の他の例を示す外観図である。
【図１８】図４のカード入力手段を表示装置の表示画面の背面に組み込んだ構成例を示す概略図である。
【符号の説明】
【００９６】
１０…表示装置、１１…表示手段（ＬＣＤパネル）、１２…タッチパネル、１３…メモリ、１４…ＬＣＤコントローラ、１５…ＣＰＵ、１６…ＨＤＤ、１７…外部機器接続Ｉ／Ｆ、２０…台座、３０…プリンタ、４０…スキャナ装置、５０…カード入力手段、５１…検知面、５１ａ〜５１ｉ…検知領域、５２ａ〜５２ｉ（５２）…アンテナ、５３…セレクタ、５４…通信ユニット、６０…非接触カード。
【図１】
0005118409.tif 000002
【図２】
0005118409.tif 000003
【図３】
0005118409.tif 000004
【図４】
0005118409.tif 000005
【図５】
0005118409.tif 000006
【図６】
0005118409.tif 000007
【図７】
0005118409.tif 000008
【図８】
0005118409.tif 000009
【図９】
0005118409.tif 000010
【図１０】
0005118409.tif 000011
【図１１】
0005118409.tif 000012
【図１２】
0005118409.tif 000013
【図１３】
0005118409.tif 000014
【図１４】
0005118409.tif 000015
【図１５】
0005118409.tif 000016
【図１６】
0005118409.tif 000017
【図１７】
0005118409.tif 000018
【図１８】
0005118409.tif 000019